(57)【要約】自己洗浄イオン生成装置は、外縁に向かって延びる底面部と、この外縁から上方向に延びて、角部で交わり、その内部に空洞を形成する第１の対向側壁対及び第２の対向側壁対とを備えた第１の部分を含む。第２の部分は、外縁に向かって延びる底面部を含み、第１の部分に選択的に固定されて筐体を形成する。少なくとも１つのイオン放出装置が筐体から延出し、この少なくとも１つのイオン放出装置を洗浄するための少なくとも１つの洗浄装置が設けられる。
2021513640.tif 000002
【特許請求の範囲】
【請求項１】
外縁に向かって延びる底面部と、前記外縁から上方向に延びて、角部で交わり、その内部に空洞を形成する第１の対向側壁対及び第２の対向側壁対とを備えた第１の部分と、
外縁に向かって延びる底面部を含み、前記第１の部分に選択的に固定されて筐体を形成する第２の部分と、
前記筐体から延出する少なくとも１つのイオン放出装置と、
前記少なくとも１つのイオン放出装置を洗浄するための少なくとも１つの洗浄装置と
を備える自己洗浄イオン生成装置。
【請求項２】
前記少なくとも１つのイオン放出装置と前記少なくとも１つの洗浄装置とを取り囲む格子を更に備える、請求項１に記載の自己洗浄イオン生成装置。
【請求項３】
前記洗浄装置は、前記空洞内に収容されたモータで駆動される、請求項１に記載の自己洗浄イオン生成装置。
【請求項４】
前記少なくとも１つのイオン放出装置は、上部と底部とを有し、
前記上部は、前記筐体よりも上まで延出し、前記底部は、前記筐体の前記空洞内に配置される、請求項１に記載の自己洗浄イオン生成装置。
【請求項５】
互いに離間して前記筐体から延出する少なくとも２つのイオン放出装置を更に備える、請求項１に記載の自己洗浄イオン生成装置。
【請求項６】
前記少なくとも１つの洗浄装置上に配置された、前記少なくとも１つのイオン放出装置を洗浄するための少なくとも１つの洗浄ヘッドを更に備える、請求項１に記載の自己洗浄イオン生成装置。
【請求項７】
前記少なくとも１つのイオン放出装置は、当該少なくとも１つのイオン放出装置から延びる複数の剛毛を含んで構成されている、請求項１に記載の自己洗浄イオン生成装置。
【請求項８】
前記第１の部分は、前記側壁の１つから上方向に延びる第１の側面格子を含み、
前記第２の部分は、前記側壁の１つから上方向に延びる第２の側面格子を含み、
前記第１の部分と前記第２の部分とが互いに選択的に固定されると、前記第１の側面格子及び前記第２の側面格子が、前記少なくとも１つのイオン放出装置及び前記少なくとも１つの洗浄装置を保護する、請求項１に記載の自己洗浄イオン生成装置。
【請求項９】
前記筐体に配置された取付装置によって固定可能に構成されている、請求項１に記載の自己洗浄イオン生成装置。
【請求項１０】
外縁に向かって延びる底面部と、前記外縁から上方向に延びて、角部で交わり、その内部に空洞を形成する第１の対向側壁対及び第２の対向側壁対とを備えた第１の部分と、
外縁に向かって延びる底面部を含み、前記第１の部分に選択的に固定されて筐体を形成する第２の部分と、
前記筐体から延出する第１のイオン放出装置及び第２のイオン放出装置と、
前記第１のイオン放出装置を洗浄するための第１の洗浄装置と前記第２のイオン放出装置を洗浄するための第２の洗浄装置とを含む洗浄アセンブリと
を備える自己洗浄イオン生成装置。
【請求項１１】
前記第２の部分の前記底面部が、当該底面部から外方向に延出する縁を含む、請求項１０に記載の自己洗浄イオン生成装置。
【請求項１２】
前記洗浄アセンブリが、前記第１の洗浄装置の歯車と前記第２の洗浄装置の歯車とに係合して前記第１の洗浄装置及び前記第２の洗浄装置を回転させるモータを含む、請求項１０に記載の自己洗浄イオン生成装置。
【請求項１３】
少なくとも１つの放出部が、前記筐体内に配置されたイオン生成部に選択的に固定される、請求項１０に記載の自己洗浄イオン生成装置。
【請求項１４】
外縁に向かって延びる底面部と、前記外縁から上方向に延びて、角部で交わり、その内部に空洞を形成する第１の対向側壁対及び第２の対向側壁対とを備えた略矩形の第１の部分と、
外縁に向かって延びる底面部を含み、前記第１の部分に選択的に固定されて筐体を形成する略矩形の第２の部分と、
前記筐体から延出する第１のイオン放出装置及び第２のイオン放出装置と、
前記第１のイオン放出装置を洗浄するための第１の洗浄装置と、前記第２のイオン放出装置を洗浄するための第２の洗浄装置と、前記第１の洗浄装置に係合する第１の従動歯車及び第２の洗浄装置に係合する第２の従動歯車に回転可能に接続する駆動歯車とを含む洗浄アセンブリと
を備える自己洗浄イオン生成装置。
【請求項１５】
前記空洞内に回路基板を更に備える、請求項１４に記載の自己洗浄イオン生成装置。
【発明の詳細な説明】
【技術分野】
【０００１】
本発明は、概略的には、空気処理の分野に関する。更に、本発明は、具体的には、細い導管やダクトと、電極及び洗浄アセンブリを取り囲む保護格子とからイオン化装置を取り外す必要なしに、当該イオン化装置の放出部を洗浄する、自己洗浄機構を有するイオン化を用いた空気処理に関する。
【背景技術】
【０００２】
一般に、空気やその他の流体は、様々な用途に処理されて届けられる。例えば、暖房、換気、及び空調（ｈｅａｔｉｎｇ，ｖｅｎｔｉｌａｔｉｏｎ  ａｎｄ  ａｉｒ−ｃｏｎｄｉｔｉｏｎｉｎｇ；ＨＶＡＣ）の用途では、空気は、加熱、冷却、加湿、除湿、濾過やその他の処理を施されて、居住スペースや商用スペースなどに届けられる。
【発明の概要】
【発明が解決しようとする課題】
【０００３】
これらの用途や他の用途のために、空気を処理して送るシステム及び方法の改良に関するニーズが存在する。本発明の主な目的は、これらのニーズに応える、改良されたシステム及び方法を提供することである。
【課題を解決するための手段】
【０００４】
本発明の一実施形態によれば、自己洗浄イオン生成装置は、外縁に向かって延びる底面部と、外縁から上方向に延びて、角部で交わり、その内部に空洞が形成する第１の対向側壁対及び第２の対向側壁対とを備えた第１の部分を含む。第２の部分は、外縁に向かって延びる底面部を含み、第１の部分に選択的に固定されて筐体を形成する。少なくとも１つのイオン放出装置が筐体から延出し、この少なくとも１つのイオン放出装置を洗浄するための少なくとも１つの洗浄装置が設けられる。
【０００５】
本発明の別の実施形態によれば、自己洗浄イオン生成装置は、少なくとも１つのイオン放出装置と少なくとも１つの洗浄装置とを取り囲む格子を含む。
【０００６】
本発明の更に別の実施形態によれば、少なくとも１つの洗浄装置は、空洞内に収容されたモータで駆動される。
【０００７】
本発明の更に別の実施形態によれば、自己洗浄イオン生成装置は、少なくとも１つのイオン放出装置を含む。このイオン放出装置は、上部と底部とを有し、上部は、筐体よりも上まで延出し、底部は、筐体の空洞内に配置される。
【０００８】
本発明の更に別の実施形態によれば、自己洗浄イオン生成装置は、互いに離間して筐体から延出する、少なくとも２つの放出部を含む。
【０００９】
本発明の更に別の実施形態によれば、自己洗浄イオン生成装置は、少なくとも１つの洗浄装置上に配置された、少なくとも１つのイオン放出装置を洗浄するための少なくとも１つの洗浄ヘッドを含む。
【００１０】
本発明の更に別の実施形態によれば、少なくとも１つのイオン放出装置を含む自己洗浄イオン生成装置は、複数の剛毛を備えたイオン放出装置を含む。
【図面の簡単な説明】
【００１１】
【図１】自己洗浄イオン生成装置の外観斜視図である。
【図２】自己洗浄イオン生成装置の内部図である。
【図３】自己洗浄イオン生成装置の外観斜視図である。
【図４】自己洗浄イオン生成装置の別の内部図である。
【図５】自己洗浄イオン生成装置の外観斜視図である。
【図６】自己洗浄イオン生成装置の外観斜視図である。
【図７】自己洗浄イオン生成装置の内部図である。
【図８】自己洗浄イオン生成装置の分解図である。
【発明を実施するための形態】
【００１２】
関連出願の相互参照
本特許出願／特許は、２０１８年２月１２日に出願された「ＳＥＬＦ  ＣＬＥＡＮＩＮＧ  ＩＯＮ  ＧＥＮＥＲＡＴＯＲ  ＤＥＶＩＣＥ」という名称の、同時係属中の米国特許仮出願６２／６２９，２９５の優先権の利益を主張するものであり、当該出願はその全体が参照により本明細書に組み込まれるものとする。
【００１３】
本発明を、各種図面を参照しながらここに例示し説明する。図面において、類似の方法、ステップ及び／又はシステムの構成要素には、それぞれ、類似の符号を付してある。
本開示の一部をなす添付の図面に関連して、以下の本発明の詳細な説明を参照することにより、本発明はより分かり易く理解されるだろう。本発明は、ここに説明、及び／又は図示する具体的な装置や方法、条件、パラメータに限定されるものではない。ここで用いられる用語は、ほんの一例として特定の実施形態を説明する目的で用いられ、特許請求の範囲に記載する発明を限定するものではないことを理解されたい。本明細書で特定される特許及びその他の刊行物の全ては、その全体が本明細書で説明されているかのように、参照により組み込まれているものとする。
【００１４】
また、本明細書及び特許請求の範囲において、単数として記述がある場合は、複数であることも含み、特定の数値に言及する場合は、文脈上明らかに別段の規定がない限り、少なくともその値を含むものとする。本明細書において、範囲については、「約」あるいは「おおよそ」の特定値から、及び／又は、「約」あるいは「おおよそ」の別の特定値までであるとして表され得る。このような範囲が表される場合、別の実施形態は、上記特定値から、及び／又は、上記別の特定値までの範囲を含むものとする。同様に、値が、「約」という副詞によって近似値として表されている場合、その特定の値が別の実施形態を形成するものとして理解されたい。
【００１５】
ここで特に図面を参照して、概ね符号１０として示される自己洗浄イオン生成装置を、図１、図２、図３、図５及び図６に例示する。装置１０は、第１の部分１４と第２の部分１６とを有する筐体１２を含む。第１の部分１４は矩形であってよく、第２の部分１６に選択的に固定される。第２の部分１６もまた、矩形であってよい。第１の部分１４は、外縁に向かって延びる底面部１８を含み、この外縁から上方向に、第１の対向側壁対２０及び第２の対向側壁対２２が延出する。第１の対向側壁対２０及び第２の対向側壁対２２は、角部において交わり、その内部に空洞２４を形成する。
【００１６】
第２の部分１６は、外縁に向かって延びる底面部２６を有する。縁２８が、底面部２６の外周に亘って、底面部２６から上方向に延出する。縁２８は、底面部２６の外縁から所定の距離だけ内側に位置がずれている。すなわち、縁２８は、底面部２６から上方向に延出するが、底面部２６の外縁とは接することなく、底面部２６の外縁から離れて配置される。
【００１７】
少なくとも１つの円筒状ボア３０が、第１の部分１４の底面部１８に取り付けられ、底面部１８から上方向に延出する。図２及び図４に例示するように、円筒状ボア３０は、各角部に隣接して配置され、第１の部分１４の底面部１８から上方向に延出する。追加の円筒状ボア３０が、底面部１８の中央部付近に配置され、そこから上方向に延出してもよい。円筒状ボア３０は、図示のように、第１の対向側壁対２０及び第２の対向側壁対２２の高さと実質的に同様な所定の高さまで延出する。
【００１８】
対応する孔３２が第２の部分１６に配置されており、底面部２６の上面から底面まで延びている。この孔３２は、第２の部分１６に第１の部分１４を選択的に固定するためのネジやボルト等の締結手段３４を挿入するためのものであり、第２の部分１６を第１の部分１４の上から被せると、図８に例示するように、円筒状ボア３０の真上に位置する。
【００１９】
図２、図４、図７及び図８に示すように、少なくとも１つのイオン放出装置３６が空洞２４内に位置し、回路基板３８に電気的に、且つ通信可能に接続されている。図示のように、装置１０は、離間した２つのイオン放出装置３６を含む。回路基板３８は、空洞２４の中に収容され、第１の部分１４に嵌合している。回路基板３８は、装置１０に電力を供給する電力供給源を含んでもよい。この電源は、電気を供給してイオン放出装置３６を駆動することにより、イオンを生成させる。イオン放出装置３６は、ニードルやブラシなどの、イオンを放出可能な任意の構成要素である放出部を含む。図中に示すように、イオン放出装置３６は、上部と底部とを含む。イオン放出装置３６の上部は、装置１０から外方向に延びている。すなわち、イオン放出装置３６の上部は、第１の部分１４及び第２の部分１６が結合した形態のとき、第１の部分１４及び第２の部分１６の一側壁から外方向に延びている。この上部は、イオンを放出するための放出部を含む。イオン放出装置３６の底部は、空洞２４内に配置され、電源と電気的に接続された回路基板３８に電気的に接続される。あるいは、イオン放出装置３６の底部は、直接、電源に電気的に接続されてもよい。
【００２０】
イオン放出装置３６の放出部は、ニードルやブラシであってもよい。ニードルは、先端に行くほど細くなる細長部を一端に含む。すなわち、ニードルは、底部と上部とを有する。底部は上部よりも幅が大きく、上部は、イオンを放出可能な先端を規定する。あるいは、放出部は、ブラシを含んでもよく、このブラシは、ブラシから離れて外側に延出する複数の剛毛を有する。ブラシ及びその剛毛は、任意の導電性材料からできていてもよく、ここでは、剛毛を備えたブラシと高電圧線又は電極との組み合わせを、電極と総称することがある。一実施形態において、ブラシの剛毛は、ポリマーに導電性を付与するための導電性材料が組み込まれた熱可塑性ポリマーから成る。例えば、ブラシの剛毛は、カーボンを含浸したポリプロピレンやポリエチレンから成ってもよい。一般に、ブラシの剛毛は、約２０〜約８０重量％のポリプロピレン共重合体又はポリエチレン共重合体と、約５〜約４０重量％のタルクと、約５〜４０重量％のカーボンブラックとを含んでもよい。しかし、ブラシの剛毛には、その他の任意の抵抗性、誘導性、反応性、又は導電性をもつプラスチックや非金属材料を使用してもよい。ブラシは、取り替え可能で簡単に取り外せるものであり、新しい剛毛を挿入・保持できるものであってもよい。
【００２１】
装置１０内には、洗浄アセンブリ４２が配置されている。図８に示すように、洗浄アセンブリ４２は、モータ４４と、駆動歯車４６と、第１の従動歯車４８と、第２の従動歯車５０と、第１の洗浄装置５２と、第２の洗浄装置５４とを含む。モータ４４は、好ましくは、駆動歯車４６を回転させるＤＣステッピングモータである。駆動歯車４６は、第１の従動歯車４８及び第２の従動歯車５０と噛み合う。駆動歯車４６の歯は、第１の従動歯車４８及び第２の従動歯車５０の歯と相互に連結している。駆動歯車４６が回転すると、第１の従動歯車４８及び第２の従動歯車５０も回転する。第１の従動歯車４８及び第２の従動歯車５０は、駆動歯車４６の両側に配置されている。第１の洗浄装置５２は、第１の従動歯車４８に係合する。第２の洗浄装置５４は、第２の従動歯車５０に係合する。
【００２２】
第１の洗浄装置５２は、第１の従動歯車４８から外方向に延出する延伸部５６を含む。第２の洗浄装置５４は、第２の従動歯車５０から外方向に延出する延伸部５６を含む。第１及び第２の洗浄装置（５２，５４）のそれぞれの上には、洗浄部５８が配置される。洗浄部５８は、それぞれのイオン放出装置３６の上部に接触可能となるように、延伸部５６から外方向に延出する。
【００２３】
第１の部分１４及び第２の部分１６の上方側壁は、少なくとも１つのボア６０を含んでいてもよく、図１に例示するように、上端に少なくとも２つのボア６０を含んでいてもよい。上方側壁は、第１の対向側壁対２０又は第２の対向側壁対２２のうちの、一方の側壁である。ボア６０は、上方側壁の内面から外面へと延びる。各イオン放出装置３６は、ボア６０を通って延び、その上部がボア６０より上方に延出し、その底部がボア６０より下方に延出する。
【００２４】
図４に例示するように、第１の高電圧線が一方のイオン放出装置３６と係合し、第２の高電圧線が他方のイオン放出装置３６と係合し、それぞれのイオン放出装置３６の上部からイオンが生成されるように電力を供給する。
【００２５】
離間した２つの開口部６２が、第１の部分１４の上記の上方側壁に配置されている。
図２、図４、図７、及び図８に示すように、これらの開口部６２は、それぞれ、上方側壁内に形成され片側に開口するＵ字状部を含む。第２の部分１６が第１の部分１４に係合すると、底面部２６は開口した側を閉鎖する役を果たす。図２及び図８に示すように、第１の弓状部６４が、第１の部分１４の開口部６２よりも上に上方向に延出する。第１の弓状部６４は、Ｕ字状の開口部６２の底部に隣接し、開口部６２から上方向に延出する。一対の第２の弓状部６６が、第２の部分１６に配置されている。図２に例示するように、第２の弓状部６６は、第２の部分１６の上端に隣接して配置される。第１の部分１４と第２の部分１６とが選択的に固定されると、第１の弓状部６４と第２の弓状部６６とが、開口部６２から上方向に延出する円形状のカラーを形成する。選択的に固定されたとき、この円形状のカラーは、中空であり、開口部６２を完全に取り囲み、上記上方側壁から上方向に垂直に延びる。図２に示すように、第１の弓状部６４と第２の弓状部６６とが係合することにより形成される円形状のカラーは、洗浄アセンブリ４２の延伸部５６を取り囲む。図２に示すように、モータ４４、駆動歯車４６、第１の従動歯車４８、及び第２の従動歯車５０が、装置１０の空洞２４内に配置されている。延伸部５６の第１の部分も空洞２４内に配置されているが、開口部６２を通って、第１の弓状部６４と第２の弓状部６６との係合により形成される円形状のカラーの上端より上まで延出する。
【００２６】
イオン放出装置３６の放出部に接触して放出部を洗浄するための洗浄ヘッド６８が、洗浄部５８上に配置されている。洗浄ヘッド６８は、取り外し可能且つ取り替え可能であることが好ましい。洗浄ヘッド６８は、ブラシ、布、発泡パッド等の、イオン放出装置３６の放出部を洗浄し得る任意の手段を含んでもよい。
【００２７】
回路基板３８の電気回路系は、モータ４４を所定の時間に起動又は作動させる、モータ４４のタイミングを調整するタイミング回路を含んでもよい。駆動歯車４６は、モータ４４により駆動され、所定の間隔でモータ４４を作動させるタイミング回路に動作可能に接続されている。ほんの一例として、駆動歯車４６を１２〜２４時間毎に作動させてもよい。これにより、第１の従動歯車４８及び第２の従動歯車５０が回転し、イオン放出装置３６の放出部を洗浄するために、第１の洗浄装置５２及び第２の洗浄装置５４が回転する。洗浄装置（５２，５４）の作動中、装置１０はイオンの生成を停止して、ばらばらの粒子が洗浄ヘッド６８に付着することを防止する。
【００２８】
格子７０が、装置１０の１つの側面に配置されている。格子７０は、第１の側面７２及び第２の側面７４を有する。格子７０の第１の側面７２は、上方側壁の外面に配置される。第１の側面７２は、互いに離間して側壁の外側の面に沿って延びる第１の端部及び第２の端部を有する。格子７０の第１の面部は、側壁の長さに沿って延び、この面部の第１の辺は、第１の端部の端に接する。第１の面部の第２の辺は、第２の端部の端に接する。好ましくは、第１及び第２の端部は連続しており、第１の面部は、第１の面部の内側から外側に向かって縦方向に延びる複数のスロット８０を有し、第１の面部を空気が通過できるようになっている。
【００２９】
第２の面部は、第２の部分１６の底面部２６の一辺の上端から延びる。第２の面部は、第１の面部と同一の構成であり、第２の面部の内側から外側に向かって縦方向に延びる複数のスロット８０を有し、第２の面部を空気が通過できるようになっている。第１の部分１４と第２の部分１６とが互いに係合すると、第２の面部の第１の端が、第１の端部の一端に係合し、第２の面部の第２の端が、第２の端部の一端に係合する。格子７０の第１の側面７２及び第２の側面７４が互いに係合すると、格子７０は、矩形をなし、各イオン放出装置３６と第１の洗浄装置５２及び第２の洗浄装置５４とを取り囲む。格子７０の上側は開口している。格子７０は、洗浄部５８が延伸部５６の回りを一周できるような十分な幅を有する。
【００３０】
本発明の他に採りうる実施形態において、装置１０は、建物管理システムに通信可能に接続されて、装置１０からイオンが生成されていない場合に建物管理システムに信号を送る警報接点を含む警報機能を含む。建物管理システムは、この信号を受けて、装置１０がイオンを生成していないことをユーザに知らせる警報を発する。予防整備中にモータの状態を確認するために、装置１０にテストボタン７６を設けて、発光ダイオード（ＬＥＤ）ライト等のライト７８を点灯させて洗浄テストを実施中であることを示してもよい。ＬＥＤライト等のライトを点灯させて、装置１０に電力が供給されていることを示す。
【００３１】
装置１０は、気流速度や、湿度や気温等のその他の条件に拘らず、おおよそ等量の陽イオン及び陰イオンを生成してもよい。例としての形態において、装置１０は、少なくとも約２億個／ｃｃの濃度の陽イオン及び陰イオンを生成し、外部の変圧器を使用せずに、２４ボルトＡＣ（ＶＡＣ）、１１０ＶＡＣ、又は２００ＶＡＣ〜２４０ＶＡＣで動作する。他の選択しうる実施形態において、装置は、陰イオンのみ、陽イオンのみ、又は、不等量の陰イオン及び陽イオンを生成する。装置１０は、超小型化のために随意にナノ電子部品を用いると、一つのイオン生成モジュール当たり１０ワットしか必要としない。筐体１２は、そこから延出する、２４ＶＡＣ、１１０〜２４０ＶＡＣ、及びニュートラルな入力を接続するための端子を含んでもよい。
【００３２】
装置１０は、正電荷を帯びたイオンが負電荷を帯びたイオンと再結合することを防ぐため、放出部が装置１０を横切る気流の方向に対して概ね垂直になるように、ダクト等の、エアハンドリングユニットの導管や筐体の所定位置に配置されて、固定されてもよい。装置１０は、取付手段を受けるためのボアが中央に設けられている取付装置８２を含んで、当該装置を所定位置に固定できるようになっていてもよい。装置１０は、ダクトユニット及びダクトレスユニットを含む、可変冷媒流ＨＶＡＣシステム内の導管内部に取り付けられてもよい。
【００３３】
本発明のシステム及び方法による、導管内の気流を双極性イオン化することによる空気処理は、様々な目的に利用され得る。例えば、エアハンドリングユニットの筐体又はダクト等の、ＨＶＡＣ導管内の気流への双極性イオン化の適用は、気流が向かう空気処理がなされる空間における、アレルゲン、病原体、臭気、ガス、揮発性有機化合物、細菌、ウイルス、カビ、鱗屑、真菌、ヒョウヒダニ類、動物やタバコの臭い、及び／又は静電気の軽減に利用されてもよい。居住スペース及び作業スペースにおける空気のイオン化は、ビル関連疾患を低減させ、室内空気の質を改善させ得ると共に、処理済の室内空気と混合させる必要のある外気の量を減らすことができ、空気循環をより高めて加熱及び冷却のコストを削減することができる。
【００３４】
使用中、装置１０に電力が供給されると、装置１０は全システムの内部チェックを開始する。初期化後、このチェックにより全てのシステムが動作可能であると確認されると、ＬＥＤライト７８が点滅して、装置に電力が供給されたことを示す。装置１０は、テストボタン７６も含む。テストボタン７６は、押下されると、装置１０の洗浄サイクルを開始させる。これにより、モータ４４が起動して、駆動歯車４６を回転させる。その結果、第１及び第２の洗浄装置（５２，５４）が回転して、イオン放出装置３６の放出部を洗浄する。
【００３５】
本発明を、好ましい実施形態及びその具体的な実施例を参照しながらここに例示・説明したが、その他の実施形態や実施例でも同様の機能を発揮できる、及び／又は類似の結果を達成できるだろうということが、当業者にはすぐに分かるだろう。そのような同等の実施形態や実施例も全て本発明の趣旨及び範囲内にあり、以下のクレームが適用されるものである。
【図１】
2021513640.tif 000003
【図２】
2021513640.tif 000004
【図３】
2021513640.tif 000005
【図４】
2021513640.tif 000006
【図５】
2021513640.tif 000007
【図６】
2021513640.tif 000008
【図７】
2021513640.tif 000009
【図８】
2021513640.tif 000010
【国際調査報告】
2021513640.tif 000011